(57)【特許請求の範囲】
【請求項１】
電子機器筐体フレームにおける互いに離間して配置された上下両側フレームにそれぞれ互いに対向するようにガイドレールを設け、該両ガイドレールの間にプリント基板を配置するように構成した電子機器装置の筐体構造であって、
前記下側フレームに、前記プリント基板に電気的に接続されるコネクタを配置したバックワイヤリングボードの取付け手段を設け、
前記バックワイヤリングボードの前面に電磁波シールド兼用押え板を位置させ、該電磁波シールド兼用押え板を前記電子機器筐体フレームの背面フレームに取付けた固定金具と前記下側フレームに形成した押え板取付け部とに装着したことを特徴とする電子機器装置の筐体構造。
【請求項２】
前記電磁波シールド兼用押え板と前記固定金具との間で前記バックワイヤリングボードを挟着固定したことを特徴とする請求項１記載の電子機器装置の筐体構造。
【請求項３】
前記電子機器筐体フレームは、前面部開口及び上面部開口を有するように、左右側面フレーム、背面フレーム及び下側板状枠体を一体成形により形成した箱状構造体と、該箱状構造体の上面部の開口を閉塞するように前記箱状構造体に装着される前記上側フレームとで構成したことを特徴とする請求項１又は２に記載の電子機器装置の筐体構造。
【請求項４】
前記プリント基板に接続された回線ケーブルを前記箱状構造体の前面部開口側に配設した後、前記箱状構造体に設けた回線ケーブル取出し口まで取り回して外部に送出させるように構成したことを特徴とする請求項１乃至３の何れか一に記載の電子機器装置の筐体構造。
【発明の詳細な説明】
【０００１】
【発明の属する技術分野】
本発明は、電話交換装置等の電子機器装置の筐体構造、特にバックワイヤリングボードと該バックワイヤリングボードに装着されたコネクタに接続されるプリント基板との位置決めを確実且つ簡単になし得るように構成した電子機器装置の筐体構造に関する。
【０００２】
従来のこの種の構造として、図３８に示すものが知られている。
【０００３】
図３８によれば、複数個のコネクタ１０１が配列装着されたバックワイヤリングボード１００と各コネクタ１０１にそれぞれ接続される且つバックワイヤリングボード１００に対して略直角に交叉して配置される複数のプリント基板１１０とを収容すると共に、バッテリー群１１１及び電源装置１１２をも収容するようになした電子機器筐体構造であり、右側フレーム１２１、左側フレーム１２２、上側フレーム１２３、下側枠体１２４及び背面フレームを構成するバックワイヤリングボード１００とを、前面部が開口するように箱型に組み立てて、電子機器筐体フレーム１２０を構成している。
【０００４】
右側フレーム１２１及び左側フレーム１２２とバックワイヤリングボード１００とには、プリント基板１１０の下端部を装着する複数の下側ガイドレール１５１が設けられたＬ字状の下側フレーム１５０が多数のネジ１２６を用いて装着され、下側ガイドレール１５１は電子機器筐体フレーム１２０の略中央に水平に位置している。
【０００５】
上側フレーム１２３には、下側フレーム１５０の下側ガイドレール１５１に対向して複数個の上側ガイドレール１２７が設けられており、上下ガイドレール１２７，１５１の間に、それぞれプリント基板１１０が装着され、バックワイヤリングボード１００側のコネクタ１０１と接続されることになる。
【０００６】
そして、右側フレーム１２１の外壁には、右側化粧板１６１がネジ止めされ、左側フレーム１２２の外壁には、左側化粧板１６２がネジ止めされ、上側フレーム１２３の外壁には、上側化粧板１６３がネジ止めされ、バックワイヤリングボード１００の外壁には、背面側化粧板１６４がネジ止めされ、更に、電子機器筐体フレーム１２０の前面部には、前面側化粧板１６５がネジ止めされて、電子機器筐体を構成している。
【０００７】
なお、背面側化粧板１６４の開口１６４ａは、蓋体１６６によって閉塞されており、また前面化粧板１６５に設けた開口には、不図示のスイッチボックスが挿着されるようになっている。
【０００８】
【発明が解決しようとする課題】
以上のように構成する従来の電子機器筐体構造においては、電子機器筐体フレーム１２０を組み立てるには、先ず、右側フレーム１２１と左側フレーム１２２との間に、上側フレーム１２３、バックワイヤリングボード１００及び下側フレーム１５０を所定位置に配置してネジ止めし、次に、下側枠体１２４を右側フレーム１２１及び下側フレーム１２２のそれぞれ下端部に配置してネジ止め等されて、組み立てるようにしている。
【０００９】
しかしながら、バックワイヤリングボード１００は、下側フレーム１５０にネジ止めされていると共に、上側フレーム１２３は、バックワイヤリングボード１００にネジ止めして装着されるために、下側フレーム１５０に設けられた下側ガイドレール１５１及び上側フレーム１２３に設けられた上側ガイドレール１２７と、バックワイヤリングボード１００に設けられたコネクタ１０１との位置決めが、非常に難しく、組立作業時には不図示のダミープリント基板を両ガイドレール１２７，１５１とコネクタ１０１とに位置合せしながら、右側フレーム１２１、左側フレーム１２２、上側フレーム１２３、バックワイヤリングボード１００及び下側フレーム１５０を順次ネジ止めする作業となって、作業効率の点で劣ることになってしまう。
【００１０】
そこで、本発明は、かかる点に鑑み、上下両ガイドレールとワイヤリングボードのコネクタとの位置合せを簡単に且つ正確に行えるように工夫した電子機器装置の筐体構造を提供することを目的としている。
【００１１】
【課題を解決するための手段】
上記目的を達成するために、本発明は、電子機器筐体フレームにおける互いに離間して配置された上下両側フレームにそれぞれ互いに対向するようにガイドレールを設け、該両ガイドレールの間にプリント基板を配置するように構成した電子機器装置の筐体構造であって、前記下側フレームに、前記プリント基板に電気的に接続されるコネクタを配置したバックワイヤリングボードの取付け手段を設け、前記バックワイヤリングボードの前面に電磁波シールド兼用押え板を位置させ、該電磁波シールド兼用押え板を前記電子機器筐体フレームの背面フレームに取付けた固定金具と前記下側フレームに形成した押え板取付け部とに装着したことを特徴とする。
【００１２】
本発明によれば、プリント基板を配置するガイドレールが設置された下側フレームに、バックワイヤリングボードの取付け手段を設けたことから、バックワイヤリングボード側のコネクタと、下側フレームに配置したガイドレールとが必然的に正確に相対的に位置決めされていることになって、電子機器筐体フレームの組立時における位置合せ作業をなくすことができ、電子機器筐体フレームへのバックワイヤリングボード延いてはプリント基板の組立作業性を向上させることになる。
【００１３】
と共に、本発明によるバックワイヤリングボードは、下側フレームに設けた取付け手段により取付けられるので、電子機器筐体フレームの前面部開口側から設置することができ、この点からも組立作業性の向上が期待できる。
【００１５】
また、本発明によれば、電磁波シールド兼用押え板をバックワイヤリングボードの前面に位置させることによって、バックワイヤリングボードの電子機器筐体フレームへの押さえとなると共に、電磁波のシールド構造を同時に達成でき、しかも、電磁波シールド兼用押え板も電子機器筐体フレームの前面部開口側から設置することができ、この点からも組立作業性の向上が期待できる。
【００１６】
また本発明は、電磁波シールド兼用押え板と固定金具との間でバックワイヤリングボードを挟着固定したことを特徴とする。
【００１７】
本発明によれば、バックワイヤリングボードは電磁波シールド兼用押え板と固定金具とで挟着固定することによって、更に確実に固定されることになり、コネクタの接続構造等を確実なものとする。
【００１８】
また本発明における電子機器筐体フレームは、前面部開口及び上面部開口を有するように、左右両側フレーム、背面側フレーム及び下側板状枠体を一体成形により形成した箱状構造体と、箱状構造体の上面部の開口を閉塞するように箱状構造体に装着されて前記上側フレームとで構成したことを特徴とする。
【００１９】
本発明によれば、電子機器筐体フレームが、上側フレームを除いて、一体の電子機器筐体フレームにより構成されることにより、強度が高くしかも従来のものに比して部品点数が少なく、その分組立作業も容易であり、バックワイヤリングボードやプリント基板を取り外せば、リサイクル化も容易となる。
【００２０】
また本発明は、プリント基板に接続された回線ケーブルを電子機器筐体フレームの前面部開口側に配設した後、電子機器筐体フレームに設けた回線ケーブル取出し口まで取り回して外部に送出させるように構成したことを特徴とする。
【００２１】
本発明によれば、プリント基板に接続されたケーブル束を電子機器筐体フレームの前面部開口側に配設した後電子機器筐体フレームに設けた回線ケーブル取出し口まで取り回して外部に送出させることによって、上記したバックワイヤリングボード或いは電磁波シールド兼用押え板が電子機器筐体フレームの前面部開口側から装着できることと相俟って、電子機器筐体フレームの前面側からの保守点検作業が可能となり、複数個の電子機器筐体フレームを縦列或いは横列に配列するような場合に、保守点検作業が至極簡単となる。
【００２２】
【発明の実施の形態】
次に、図を用いて本発明における実施の形態について、説明する。
【００２３】
先ず図１は、本発明による実施の形態を示す電子機器筐体構造の外観を示す斜視図、図２は同じく分解斜視図である。
【００２４】
図１及び図２によれば、電子機器筐体構造は、互いに箱体形状に組み立てられた前面化粧板１、左右両側化粧板２，３及び天井化粧板４内に、電子機器筐体フレーム１０を内蔵して構成している。
【００２５】
電子機器筐体フレーム１０は、左右両側フレーム２０，３０と左右両側フレーム２０，３０の下端に交叉するように配置された下側板状枠体４０と、左右両側フレーム２０、３０の後端側に交叉するように配置された背面フレーム５０とで構成しており、左右両側フレームの上端及び背面フレーム５０の上端には、これらに交叉するように上側フレーム６０が配置されている。この結果、電子機器筐体フレーム１０の前面側は前面部開口１１となっている。
【００２６】
電子機器筐体フレーム１０の中央部よりやや下側に位置するように、下側フレーム７０が配置され、下側フレーム７０の後端上部側に設けた取付け手段である複数個バックワイヤリングボード下端嵌合片７４には、バックワイヤリングボード８０が設置されている。
【００２７】
そして、下側フレーム７０は、前後方向に延在する複数の下側ガイドレール７１が設けられ、上側フレーム６０には、下側ガイドレール７１に対向して複数の上側ガイドレール６１が設けられており、両ガイドレール６１、７１間にそれぞれプリント基板５を挿入挟着し、バックワイヤリングボード８０に設けられた複数のコネクタ８１にそれぞれ電気的に接続している。両ガイドレール６１、７１間に挿入挟着されたプリント基板５の前端部は、下側フレーム７０に左右方向に移動可能に取付けられたプリント基板抜け止め金具７によって、抜け止めされている。
【００２８】
背面側フレーム５０の左右両側には、バックワイヤリングボード８０の上端部を支承する一対の固定金具６が取付けてあり、下側フレーム７０の後端部側には、電磁波シールド兼用押え板９０の下端が取付けてあり、電磁波シールド兼用押え板９０の上端は固定金具６に取付けられ、電磁波シールド兼用押え板９６はバックワイヤリングボード８０の前面に位置して、固定金具６と共にバックワイヤリングボードを挟着支持している。
【００２９】
下側フレーム７０と下側板状枠体４０との間に形成されている空間部には、その左側よりバッテリー群８及び電源装置９が挿入配置されており、空間部の右端部側はワイヤ取り込みスペースとなっている。
【００３０】
次に、図３乃至図１７を用いて、個々の構成部品を詳細に説明する。
【００３１】
図３は電子機器筐体フレームを示す斜視図であり、左側フレーム２０、右側フレーム３０、下側板状枠体４０及び背面側フレーム５０をプレス又は曲げ加工等により、上面部及び前面部を開口させて、箱状に一体成形されている。
【００３２】
左側フレーム２０及び右側フレーム３０の上端前後部には、それぞれ、前面側に開口する天井化粧板取付け溝２１ａ，３１ａをそれぞれ有する一対の天井化粧板取付け片２１，３１が形成されており、天井化粧板取付け片２１および天井化粧板取付け片３１の間には、それぞれ一対の上側フレーム取付け片２２，３２が形成されている。両上側フレーム取付け片２２及び上側フレーム取付け片３２の間には、外側には張出すように天井化粧板支持片２３，３３が形成されている。
【００３３】
左右両側フレーム２０，３０の前側に位置する天井化粧板取付け片２１，３１の下側には、上側フレーム位置決め孔２４，３４が穿設され、上側フレーム位置決め孔２４、３４に連続して後部側に上側フレーム固定孔２４ａ，３４ａが形成されている。
【００３４】
左右両側フレーム２０，３０の前面上下端部側には、それぞれ一対の前面化粧板引っ掛け部２５，３５が形成されており，右側フレーム３０における前面化粧板引掛け部３５の中央側に寄る位置に、前面化粧板固定バネ片部３５ａが形成されている。
【００３５】
また、左右両側フレーム２０，３０の下方部前側には、それぞれ下側フレーム位置決め孔２６，３６が形成されており、更に、左右両側フレーム２０，３０の下端付近には、回線ケーブル取り出し口２７，３７がそれぞれ形成されている。また、左右両側フレーム２０，３０の前面化粧板引掛け部２５に若干離間して、それぞれ一対の左右両側化粧板取付係合孔２８，３８が形成されている。
【００３６】
下側板状枠体４０の左側には、一対のバッテリー群装着片４１が互いに離間した状態で切起こし形成すると共に、右端側よりやや左側に寄せて、一対の電源装置装着片４２がきり起こし形成されており、更に右端側には右側フレーム３０と共にワイヤ取り込みスペース４３が形成されている。
【００３７】
下側板状枠体４０の前端部は、下方に垂下したフランジ片部４４が形成されていて、フランジ片部４４におけるバッテリー群装着片４１に対向して、一対のバッテリー固定金具取付け孔４５が穿設されている。
【００３８】
背面側フレームの上部側には、電子機器筐体全体を不図示の装着壁等に設置するための取付け孔５２が穿設され、取付け孔５２の下部側には、固定金具位置決め突起５３が突設され、また背面側フレームの中央よりやや下側には、下側フレーム位置決め突起５６が突設されている。
【００３９】
背面フレームの中央部よりやや下側には、下側フレーム支持突起５１が切起こし形成されている。
【００４０】
背面側フレーム５０の左端と左側フレーム２０との間には、上下方向に互いに離間して、一対の左側化粧板取付け孔５４が形成され、背面側フレーム５０と右側フレーム３０との間には、上下方向に互いに離間して、一対の右側化粧板取付け孔５５が形成されている。
【００４１】
図４は背面側フレーム５０の左側に設ける固定金具６の斜視図である。固定金具６は、略Ｔ字状を呈して、背面側フレーム５０の位置決め突起５３に嵌合する位置決め孔６ａ1が形成された本体部６ａと、本体部６ａの両端前側に一体に突設された一対の側板部６ｂと、本体部６ａの一側側に一体に垂設されたバックワイヤリングボード８０が当接するバックワイヤリングボード受け片６ｃとを有して構成している。
【００４２】
一対の側板部６ｂの上端部は、下向きに鉤状に形成された下側フレーム７０の上端部を係合支持する電磁波シールド兼用押え板係合部６ｂ1が形成され、電磁波シールド兼用押え板係合部６ｂ1の下側には、一段と下がる形で下方に延在するバックワイヤリング当接部６ｂ2が形成され、更に、当該バックワイヤリング当接部６ｂ2の上側には、バックワイヤリングボード８０の上端を当接させて、当該バックワイヤリングボード８０を上下方向に位置決めするバックワイヤリング押え突部６ｂ3が形成されている。
【００４３】
バックワイヤリングボード受け片６ｃの下端には、前側にＬ字状に突設形成されたバックワイヤリングボード受け部６ｃ1が形成されている。
【００４４】
なお、図示しないが、背面側フレーム５０の右側にも、固定金具６が設けられているが、この右側の固定金具６は、左側の固定金具６と対称形状を有して構成されているも同一形状のため、詳細説明は割愛する。
【００４５】
図５は下側フレーム７０の斜視図である。
【００４６】
下側フレーム７０が前端には、下向きに突設したエプロン片７２が形成され、後端には、背面フレーム取付け片７３がそれぞれ形成されている。エプロン片７２の略中央部には取付け孔７２ａが穿設されている。
【００４７】
更に、下側フレーム７０における背面フレーム取付け片７３の前側に少しく離間して、二又状に形成されたバックワイヤリングボード下端嵌合片７４が切起こし形成されており、前後方向に配置された一対の脚片７４ａ，７４ｂのうち、前側脚片７４ｂ側が若干短く形成されていて、バックワイヤリングボード８０を電子機器筐体フレーム１０の正面すなわち前面部開口１１側から容易に嵌合可能に構成している。なお、バックワイヤリングボード下端嵌合片７４の内の中央部の２片はバックワイヤリングボード８０を左右方向に位置決めするバックボード受け部７４ｃを構成している。
【００４８】
背面側取付け片７３には、下側フレーム位置決め突起５６が嵌合する位置決め孔７５が複数個穿設されており、下側フレーム７０の前端部側には、プリント基板抜け止め金具取付け孔７８が穿設してあり、両側部前端には、下側フレーム位置決め孔２６に係合する位置決め係合突起７９が突出形成されている。
【００４９】
また、下側フレーム７０におけるバックワイヤリングボード下端嵌合片７４の前面側には、互いに離間して一対の電磁波シールド兼用押え板取付け片７６，７７が弾性揺動可能な切欠き形成されている。
【００５０】
図６は上側フレーム６０の斜視図である。
【００５１】
上側フレーム６０は、前後両端および左右両端にそれぞれ立上りフランジ片６２乃至６５が形成されており、左右両側フランジ片６２，６３は、その前後に切欠き部６２ａ，６２ｂ，６３ａ、６３ｂが形成され、前側の切欠き部６２ａ，６３ａには、上側フレーム取付け片２２，３２に係合する左側フレーム係合片６６、右側フレーム係合片６７が形成されている。
【００５２】
図７はバックワイヤリングボード８０の斜視図である。
【００５３】
バックワイヤリングボード８０は、複数個のコネクタ８１が縦列に配置装着されており、中央部には、背面側フレーム５０への取付けのための取付け孔８２，８３が穿設されており、更に、下端中央部には、下側フレーム７０のバックワイヤリングボード受け部７０ｃに嵌合する２つの位置決め切欠き８４が設けられている。
【００５４】
図８は電磁波シールド兼用押え板９０の斜視図である。
【００５５】
電磁波シールド兼用押え板９０は、バックワイヤボード８０に設けたコネクタ８１が挿通するコネクタ挿通孔９１がコネクタ８１に対応して縦列に形成されており、下端部中央には、電磁波シールド兼用押え板９０の取り外しの際に使用する取っ手９２が形成され、取っ手９２の両側には、離間した状態で、電磁波シールド兼用押え板取付け片７６，７７に係合する取付け片９３，９４が下側方向に突設されている。
【００５６】
また、電磁シールド兼用押え板９０の上端には、略Ｌ字状の延長片９７が一体に形成されていて、延長片９７には、固定金具６に設けた電磁シールド兼用押え板係合部６ｂ1，６ｂ1にそれぞれ係合する係合凹部９８，９９を形成してあり、更に、延長片９７には、下端裏面側に突出するようにバックワイヤリングボード８０の押え突起９６が複数個切起こし形成されている。なお、電磁波シールド兼用押え板９０は、電磁波をシールドするために、鉄板等の金属製の板で構成されている。
【００５７】
図９はバッテリー群８のうちの単体バッテリー８ａを示す斜視図である。単体バッテリー８ａは、略直方体形状となっており、上面にＬ字型に折曲された一対の端子８ａ1が設けられている。単体バッテリー８ａを複数個ユニットにして、バッテリー群８を構成しており、バッテリー群８は一対のバッテリー群装着片４１に嵌合装着され、バッテリー固定金具８ｂによって、抜け止めされている。
【００５８】
図１０は、電源装置９を示す斜視図である。
【００５９】
電源装置９は、上面及び裏面が開口するように、左右側壁９ａ，９ｂ、前面壁９ｃ及び底壁９ｄからなる箱型状を呈しており、左右側壁９ａ，９ｂには、それぞれ電源装置装着片４２の前後に形成した電源装置係合部４２ａに係合する一対の係合片９ｅが外方の突出するように切起こし形成されており、左右側壁９ａ，９ｂの前端上部には、プリント基板抜け止め金具７を載置する載置片９ｆが外方に突出するように形成されている。
【００６０】
前面壁９ｃは、スイッチパネル部９ｇを有し、また、該前面壁９ｃには、不図示の保守端子等を露呈する開口９ｈ，９ｊが形成されている。また、前面壁９ｃには、下側フレーム７０の取付け孔７２ａに対応して取り付け孔９ｋが設けられている。なお、図１０は電源を構成する電子部品を省略して描画しているものである。
【００６１】
図１１はバッテリー固定金具８ｂを示す斜視図である。
【００６２】
バッテリー固定金具８ｂは、前面壁８ｂ1に一対の覗き窓８ｂ2が形成されると共に、下端には、バッテリー固定金具取付け孔４５が嵌合する取付け片８ｂ3が垂下形成されている。
【００６３】
図１２はプリント基板抜け止め金具７を示す斜視図で、基本型として略Ｌ字形を呈しており、縦壁７ａには、複数個のプリント基板案内溝７ｂが形成されていると共に、縦壁７ａのほぼ両上端側には、プリント基板抜け止め金具取付け孔７８に係合する略Ｌ字型で係止片部７ｃが突設されている。縦壁７ａの略中央には、下側フレーム７０への取付け孔７ａ1が穿設されている。
【００６４】
プリント基板抜け止め金具７の横壁７ｄには、プリント基板５に接続して延在する回線ケーブル５ａ(後述の図２５参照)が這いながら載置される複数の棚状突起７ｅが突設形成されている。
【００６５】
図１３は右側化粧板２を表側から描画した斜視図である。右側化粧板２の上方部には、多数の通気穴２ａが穿設されており、下方部には、回線ケーブル取出し口部２ｂが形成されている。また、両縦側部には、縦フランジ２ｄがそれぞれ形成されており、縦フランジ部２ｄには、上下方向に互いに離間して、左側化粧板取付け係合孔２８に係合する係止片部２ｅ形成されている。
【００６６】
回線ケーブル取出し口部２ｂは、互いに上下に離間して形成された一対の横抜き孔２ｂ1と両横抜き孔２ｂ1の両端間に延在する一対の縦抜き孔２ｂ2と両横抜き孔２ｂ1の略中央部間に互いにずれるように形成された一対の切抜き溝２ｂ3，２ｂ4とを有して構成されて、切抜き溝２ｂ3，２ｂ4は、それぞれ横抜き孔２ｂ1に連通している。この結果、切欠き溝２ｂ3，２ｂ4の両側には、一対の扉状片部２ｂ6，２ｂ7が形成されることになる。
【００６７】
そして、回線ケーブル取出し口部２ｂは、回線ケーブル５ａを取り出さない場合には、図１３の状態にしておき、回線ケーブル５ａを取り出す場合には、図２７乃至図３１に示す過程で、回線ケーブル５ａを取り出せるような開口として形成される。すなわち、先ず図２７（イ）、（ロ）に示すように、一対の切抜き溝２ｂ3，２ｂ4の間に形成された細状接ぎ部２ｂ5を破断するように、切抜き溝２ｂ3，２ｂ4の両側に形成された一対の扉状片部２ｂ6，２ｂ7を右側化粧板２の裏側に押し開くと、扉状片部が、横抜き孔２ｂ1と縦抜き孔２ｂ2との間に形成されたヒンジ部２ｂ8を中心に横抜き孔２ｂ1と縦抜き孔２ｂ2より離れて折れ曲がり、図２８に示す状態から、図２９に示す状態を経て、図３０に示すように、右側化粧板２の裏面に張り付いて、回線ケーブル取出し開口２ｃが形成される。
【００６８】
この時、両扉状片部２ｂ6，２ｂ7の先端には、細状接ぎ部２ｂ4の破断により鋭利部が形成されるが、この鋭利部は右側化粧板２の裏面側に位置することになり、また、ヒンジ部２ｂ8は湾曲状に折曲されることから、安全性が考慮されている。
【００６９】
図１４は左側化粧板３を裏側から描画した斜視図である。右側化粧板３の上方部には、多数の通気穴３ａが穿設されており、下方部には、回線ケーブル取出し口部３ｂが形成されている。また、両縦側部には、縦フランジ３ｄがそれぞれ形成されており、縦フランジ部３ｄには、上下方向に互いに離間して、右側化粧板取付け係合孔３８に係合する係止片部３ｅが形成されている。
【００７０】
回線ケーブル取出し口部３ｂは、互いに上下に離間して形成された一対の横抜き孔３ｂ1と両横抜き孔３ｂ1の両端間に延在する一対の縦抜き孔３ｂ2と両横抜き孔３ｂ1の略中央部間に互いにずれるように形成された一対の切抜き溝３ｂ3，３ｂ4とを有して構成されて、切抜き溝３ｂ3，３ｂ4は、それぞれ横抜き孔３ｂ1に連通している。この結果、切欠き溝３ｂ3，３ｂ4の両側には、一対の扉状片部３ｂ6，３ｂ7が形成されることになる。
【００７１】
そして、回線ケーブル取出し口部３ｂは、回線ケーブル５ａを取出さない場合は図１４の状態のままとしておき、回線ケーブル取出し開口を形成する場合には、右化粧板２の回線ケーブル取出し部２ｂの場合を示す図２７乃至図３１と同様な方法で扉状片部３ｂ7，３ｂ8を折曲し、回線ケーブル取出し開口を形成することから、詳細説明は省略する。なお、このような回線ケーブル取出し開口を形成するために、右側化粧板２及び左側化粧板３は、その厚さが１．０ｍｍ〜２．０ｍｍの鉄板又はアルミ板のような金属板が用いられている。
【００７２】
図１５は天井化粧板４を示す斜視図である。天井化粧板４の外周部には、縦状に延在した凸状フランジ４ａが一体に形成されており、凸状フランジ４ａの左右側部には、天井化粧板取付け片２１，３１がそれぞれ係合する係合部４ｂが形成され、前側部には、前面化粧板取付け片部４ｃが形成され、後面側には、背面側フレーム係合片４ｄが形成されている。
【００７３】
図１６は前面化粧板１を裏側から描画した斜視図である。
【００７４】
前面化粧板１は、全体的多数の通気孔１ａが形成されている。また下方中央部には、スイッチボックス装着部１ｂが形成されている。
【００７５】
前面化粧板１の左右両側は、左右両側フレーム２０，３０に設けた前面化粧板引っ掛け部２５，３５が嵌合する嵌合片１ｃが形成されると共に、右側上部には前面化粧板固定バネ片部３５ａが弾止する弾止片１ｄが形成されている。更に、左右両側には、左右両側フレーム２０，３０の前面部に弾接して、弾止片１ｄと共に、前面化粧板１を電子筐体フレーム１０に固定するスプリング片１ｅが切欠き形成されており、スプリング片１ｅの先端部にはスプリング片１ｅを電子筐体フレーム１０の押し付ける力を増大させるための小突起１ｆが形成されている。
【００７６】
図１７はプリント基板５を示す斜視図である。
【００７７】
プリント基板５は、図視しないが多くの電子部品が所定のデザインに基づいて互いに電気的に接続されるように実装されており、背面側下部には、バックワイヤリングボード８０のコネクタ８１に接続する基板側コネクタ５ａが装着され、前面側上部には、回線ケーブル用コネクタ５ｂが装着されている。
【００７８】
次に、図１８乃至図２６を用いて、本実施の形態による電子交換装置等の筐体構造の組立工程を説明する。
【００７９】
先ず図１８において、図３に示す電子機器筐体フレーム１０における左右両側フレーム２０，３０の下側フレーム位置決め孔２６，３６に下側フレーム７０の位置決め係合突起７９を係合すると共に、背面側フレーム５０の下側フレーム位置決め突起５６を下側フレーム７０の位置決め孔７５に嵌合して、下側フレーム７０を電子機器筐体フレーム１０に溶接等により固着する。
【００８０】
また、背面側フレーム５０の固定金具位置決め突起５３を、一対の固定金具６の位置決め孔６ａ1に嵌合して位置決めし、固定金具６を溶接等により背面側フレーム５０に固着する。
【００８１】
また、左右両側フレーム２０，３０の上側フレーム取付け片２２，３２を上側フレーム６０の左右両側フレーム取付け片６７，６８にそれぞれ係合させて、上側フレーム６０を電子機器筐体フレーム１０に溶接等により固着して、電子機器筐体フレーム１０の上面開口を塞ぐ。
【００８２】
次に、図１９および図１９のＡ−Ａ断面図である図３１に詳細に示すように、バックワイヤリングボード８０の下端部を下側フレーム７０のバックワイヤリングボード下端嵌合片７４にバックワイヤリングボード８０の上端部を前側に傾けながら嵌合し、次にバックワイヤリングボード８０の上端部を背面側フレーム５０側に傾動させて、固定金具バックワイヤリングボード受け片６ｃに当てがい、バックワイヤリングボード８０の上端片がバックワイヤリング押え突部６ｂ3に当接するようにして、バックワイヤリングボード８０の上下方向の位置を正確に定める。なお、このときバックワイヤリングボード８０の位置決め切欠き８４が、バックワイヤリングボード下端嵌合片のバックボード受け部７４ｃに嵌合することになり、下端フレーム７０に対するバックワイヤリングボード８０の左右方向の位置が正確に定まるように構成している。
【００８３】
次に、図２０及び図２０のＢ−Ｂ断面図である図３２に詳細に示すように、電磁波シールド兼用押え板９０の上端部を固定金具６の電磁波シールド兼用押え板係合部６ｂ１に係合し、電磁波シールド兼用押え板９０の下端を下側フレーム７０の電磁波シールド兼用押え板取付け片７６，７７を押し広げながら、背面フレーム５０側に押し込んで、電磁波シールド兼用押え板取付け片７６，７７の付勢力によって係着する。この時、電磁波シールド兼用押え板取付け片７６，７７と固定金具６のバックワイヤリングボード受け片６ｃとの間で、バックワイヤリングボード８０が挟着されることになる。
【００８４】
次に、図２１に示すように、下側板状枠体３０のバッテリー群装着片４１にバッテリー群８を装着し、電源装置装着片４２の電源装置係合部４２ａに係合片９ｅを係合することにより、電源装置９を下側板状枠体４０に装着する。
【００８５】
次に、図２２に示すように、バッテリー固定金具８ｂの取付け片８ｂ3を下側板状枠体４０のバッテリー固定金具取付け孔４５に嵌合して、バッテリー固定金具８ｂを下側板状枠体４０に装着し、バッテリー群８の前面を化粧している。
【００８６】
次に、図２３に示すように、下側フレーム４０のプリント基板抜け止め金具取付け孔７８に係止片７ｃを嵌合して、下側フレーム７０にプリント基板抜け止め金具７を仮装着しておく。この時、プリント基板抜け止め金具７のプリント基板案内溝７ｂは、下側フレーム７０に設けた下側ガイドレール７１に対向している。
【００８７】
次に、図２４に示すように、左右両側化粧板２，３を電子機器筐体フレーム１０に取付けるべく、左右両側化粧板取付け係合孔２８，３８に係止片２ｅ，３ｅを係合する。
【００８８】
次に、図２５に示すように、プリント基板抜け止め金具７のプリント基板案内溝７ｂに案内させながら、プリント基板５を下側フレーム７０の下側ガイドレール７１と上側フレーム６０の上側ガイドレール６１との間に挿入し、プリント基板抜け止め金具７を右側にずらして、プリント基板５を抜け止め固定する。そして、プリント基板５の回線ケーブル用コネクタ５ｂから回線ケーブル５ａをプリント基板抜け止め金具７の横壁７ｄに這わせて、束にしながら、電源装置９の右側に形成されたワイヤ取り込みスペース４３を経由して、右側フレーム２０の回線ワイヤ取出し口２７を挿通させた後、右側化粧板２に前述したような方法で形成した回線ワイヤ取出し開口２ｃから外部に引き回している。
【００８９】
更に、左右両側フレーム２０，３０上に電子機器筐体フレーム１０の前面側から背面側に向かって天井化粧板４を滑らしながら、左右両側フレーム２０，３０の天井化粧板取付け片２１に天井化粧板４の係合片４ｂを係合し、背面フレーム係合片４ｄを背面フレーム５０の上端部に係合して、天井化粧板４を機器筐体フレーム１０に装着する。
【００９０】
次に、図２６に示すように前面化粧板１によって電子機器筐体フレーム１０の前面部開口１１を塞ぐのであるが、図１６に示す前面化粧板１の嵌合片１ｃを図２４に示す左右両側フレーム２０，３０の前面化粧板引っ掛け部２５，３５に嵌合することになる。この時、前面化粧板固定バネ片３５ａが弾止片１ｄを弾止することにより、スプリング片１ｅの小突起１ｆが左右両側フレーム２０，３０の壁部に当接することによって、スプリング片１ｅが付勢されて、前面化粧板１が電子機器筐体フレーム１０に固定され、図１に示す電子機器筐体構造が完成する。
【００９１】
以上説明した本発明における実施の形態においては、プリント基板５を配置するガイドレール７１が設置された下側フレーム７０に、バックワイヤリングボード８０の取付け手段であるバックワイヤリングボード下端嵌合片７４を設けたことから、バックワイヤリングボード８０側のコネクタ８１と、下側フレーム７０に配置したガイドレール７１とが必然的に正確に相対的に位置決めされていることになって、電子機器筐体フレーム１０の組立時における位置合せ作業をなくすことができ、電子機器筐体フレーム１０へのバックワイヤリングボード８０延いてはプリント基板５の組立作業性を向上させることになる。
【００９２】
と共に、バックワイヤリングボード８０は、下側フレーム７０に設けたバックワイヤリングボード下端嵌合片７４により取付けられるので、電子機器筐体フレーム１０の前面部開口１１側から設置することができ、この点からも組立作業性の向上が期待できる。
【００９３】
また、電磁波シールド兼用押え板９０をバックワイヤリングボード８０の前面に位置させることによって、バックワイヤリングボード８０の電子機器筐体フレーム１０への押さえとなると共に、電磁波のシールド構造を同時に達成でき、しかも、電磁波シールド兼用押え板９０も電子機器筐体フレーム１０の前面部開口１１側から設置することができ、この点からも組立作業性の向上が期待できる。
【００９４】
また、バックワイヤリングボード８０は電磁波シールド兼用押え板９０と固定金具６のバックワイヤリングボード受け片６ｃとの間で挟着固定されることによって、更に確実に固定されることになり、コネクタ８１の接続構造等を確実なものとする。
【００９５】
また、電子機器筐体フレーム１０が、上側フレーム６０を除いて、一体の電子機器筐体フレームにより構成されることにより、強度が高くしかも従来のものに比して部品点数が少なく、その分組立作業も容易であり、バックワイヤリングボード８０やプリント基板５を取り外せば、リサイクル化も容易となる。
【００９６】
また、プリント基板５に接続された回線ケーブル５ａをプリント基板抜け止め金具７の棚状突起７ｅに這わせた後に外部に取りまわすことにより、回線ケーブル５ａを電子機器筐体フレーム１０の前面部開口側に配設したことになり、バックワイヤリングボード８０或いは電磁波シールド兼用押え板９０が電子機器筐体フレーム１０の前面部開口１１側から装着できることと相俟って、電子機器筐体フレーム１０の前面側からの保守点検作業が可能となり、電子機器筐体構造を複数個を縦列或いは横列に配列するような場合に、保守点検作業が至極簡単となる。
【００９７】
図３３は本発明における他の実施の形態によるバックワイヤリングボード８０を電子機器筐体フレーム１０に取付けた状態を示す斜視図である。
【００９８】
この実施の形態によれば、バックワイヤリングボード８０を背面フレーム５０に装着する場合に、ネジ８４を使用している点が特徴としており、その他の構成は上記実施の形態と同一である。
【００９９】
図３４から図３７は本発明における右側化粧板２又は左側化粧板３に設ける回線ケーブル取出し口２ｂ，３ｂの他の実施の形態をそれぞれ示す図である。なお、説明は右側化粧板２の回線ケーブル取出し口２ｂを代表させ、説明を割愛する。
【０１００】
先ず、図３４に示すものは、右側化粧板２に、上記の実施の形態における互いに対向する一対の切欠き溝２ｂ3を一直線上に形成し、破線視のように折り曲げて、回線ケーブル取出し口２ｂを開口するようにしたものである。従って、一対の切欠き溝２ｂ2の先端は鋭角に形成され、ほぼ接合している。
【０１０１】
図３５に示すものは、右側化粧板２の縦抜き孔２ｂ3の中央部一箇所に、ヒンジ部２ｂ8を形成し、破線視のように折り曲げて、回線ケーブル取出し口２ｂを開口するようにしたものである。
【０１０２】
図３６に示すものは、右側化粧板２の一対の切欠き溝２ｂ3は、完全に接合して、一の切欠き溝に形成されており、破線視のように折り曲げて、回線ケーブル取出し口２ｂを開口するようにしたものである。
【０１０３】
図３７に示すものは、右側化粧板２の切欠き溝２ｂ3を、互いに鋭角に形成された先端がほぼ接合するように、Ｘ字状に形成された４個の溝により構成したもので、破線視のように、上下及び左右に三角片状に折り曲げられて、回線ケーブル取出し口２ｂを開口するようにしたものである。
【０１０４】
【発明の効果】
本発明によれば、プリント基板を配置するガイドレールが設置された下側フレームに、バックワイヤリングボードの取付け手段を設けたことから、バックワイヤリングボード側のコネクタと、下側フレームに配置したガイドレールとが必然的に正確に相対的に位置決めされていることになって、電子機器筐体フレームの組立時における位置合せ作業をなくすことができ、電子機器筐体フレームの組立作業性を向上させることになる。
【０１０５】
と共に、本発明によるバックワイヤリングボードは、下側フレームに設けた取付け手段により取付けられるので、電子機器筐体フレームの前面部開口側から設置することができ、この点からも組立作業性の向上が期待できる。
【図面の簡単な説明】
【図１】本発明による一の実施の形態を示す電子機器装置の筐体構造の外観を示す斜視図である。
【図２】同じく分解斜視図である。
【図３】同じく電子機器筐体フレームを示す斜視図である。
【図４】同じく固定金具の斜視図である。
【図５】同じく下側フレームの斜視図である。
【図６】同じく上側フレームの斜視図である。
【図７】同じくバックワイヤリングボードの斜視図である。
【図８】同じく電磁波シールド兼用押え板の斜視図である。
【図９】同じくバッテリー群を構成する単体のバッテリーを示す斜視図である。
【図１０】電源関係部品を省略して描画した電源装置を示す斜視図である。
【図１１】同じくバッテリー固定金具の斜視図である。
【図１２】同じくプリント基板抜け止め金具を示す斜視図である。
【図１３】同じく右側化粧板を表側から描画した斜視図である。
【図１４】同じく左側化粧板を裏側から描画した斜視図である。
【図１５】天井化粧板を示す斜視図である。
【図１６】前面化粧板を裏側から描画した斜視図である。
【図１７】プリント基板を示す斜視図である。
【図１８】図１に示す本発明における一の実施の形態における組立工程を説明するための図で、電子機器筐体フレームに上下両側フレームを取付ける工程を示す斜視図である。
【図１９】同じくバックワイヤリングボードを取付ける工程を示す一部破断斜視図である。
【図２０】同じく電磁波シールド兼用押え板を取付ける工程を示す斜視図である。
【図２１】同じくバッテリー群及び電源装置を取付ける工程を示す斜視図である。
【図２２】同じくバッテリー固定金具を取付ける工程を示す斜視図である。
【図２３】同じくプリント基板抜け止め金具を取付ける工程を示す斜視図である。
【図２４】同じく左右両側化粧板を取付ける工程を示す斜視図である。
【図２５】同じくプリント基板および敗戦ワイヤーを取付ける工程を示す斜視図である
【図２６】同じく天井化粧板及び前面化粧板を取付け、更に前面化粧板にスイッチボックスを取付ける工程を示す斜視図である。
【図２７】図１における本発明における一実施の形態による右側化粧板に回線ワイヤー取出し開口を形成する工程を示しており、一対の扉状片部を少しく内側に押し込む工程を示す右側化粧板の一部斜視図で、（イ）は裏側から描画し、(ロ)は表側から描画した図である。
【図２８】同じく一対の扉状片部同士を切り離した状態を示す右化粧板の一部斜視図で、（イ）は裏側から描画し、（ロ）は表側から描画した図である。
【図２９】同じく一対の扉状片部を右化粧板に対して略直角に折り曲げた状態を示す右化粧板の一部斜視図で、（イ）は裏側から描画し、(ロ)は表側から描画した図である。
【図３０】同じく一対の扉状片部を右化粧板の裏面に這わせて回線ワイヤー取出し開口が完成した状態を示す右化粧板の一部斜視図で、（イ）は裏側から描画し、(ロ)は表側から描画した図である。
【図３１】図１９のＡ-Ａ断面図である。
【図３２】図２０のＢ−Ｂ断面図である。
【図３３】本発明における他の実施の形態を示しており、電子機器筐体フレームにバックワイヤリングボードを装着する工程を示す斜視図である。
【図３４】本発明における右側化粧板に形成する回線ケーブル取出し口の他の実施の形態を示しており、右化粧板の一部を示す正面図である。
【図３５】同じく右化粧板の一部を示す正面図である。
【図３６】同じく右化粧板の一部を示す正面図である。
【図３７】同じく右化粧板の一部を示す正面図である。
【図３８】従来の電話交換装置等の筐体構造を示す分解斜視図である。
【符号の説明】
１    前面化粧板
２    右側化粧板
３    左側化粧板
４    天井化粧板
５    プリント基板
５ａ  回線ケーブル
６    固定金具
７    プリント基板抜け止め金具
１０    電子機器筐体フレーム
１１    前面部開口
２０    左側フレーム
３０    右側フレーム
４０    下側板状枠体
５０    背面側フレーム
６０    上側フレーム
６１    上側ガイドレール
７０    下側フレーム
７１    下側ガイドレール
７４    バックワイヤリングボード兼用押え板取付け切起し片(バックワイリングボードの取り付け手段)
７６    電磁波シールド兼用押え板取付け片
８０    バックワイヤリングボード
８１    コネクタ
９０    電磁波シールド兼用押え板
【図１】
0004411458.tif 000002
【図２】
0004411458.tif 000003
【図３】
0004411458.tif 000004
【図４】
0004411458.tif 000005
【図６】
0004411458.tif 000006
【図７】
0004411458.tif 000007
【図８】
0004411458.tif 000008
【図９】
0004411458.tif 000009
【図１０】
0004411458.tif 000010
【図１１】
0004411458.tif 000011
【図１２】
0004411458.tif 000012
【図１３】
0004411458.tif 000013
【図１４】
0004411458.tif 000014
【図１５】
0004411458.tif 000015
【図１６】
0004411458.tif 000016
【図１７】
0004411458.tif 000017
【図１８】
0004411458.tif 000018
【図１９】
0004411458.tif 000019
【図２０】
0004411458.tif 000020
【図２１】
0004411458.tif 000021
【図２２】
0004411458.tif 000022
【図２３】
0004411458.tif 000023
【図２４】
0004411458.tif 000024
【図２５】
0004411458.tif 000025
【図２６】
0004411458.tif 000026
【図２７】
0004411458.tif 000027
【図２８】
0004411458.tif 000028
【図２９】
0004411458.tif 000029
【図３０】
0004411458.tif 000030
【図３１】
0004411458.tif 000031
【図３２】
0004411458.tif 000032
【図３３】
0004411458.tif 000033
【図３４】
0004411458.tif 000034
【図３５】
0004411458.tif 000035
【図３６】
0004411458.tif 000036
【図３７】
0004411458.tif 000037
【図３８】
0004411458.tif 000038
【図５】
0004411458.tif 000039